(57)【要約】【課題】複数の画像に表示されている内容をユーザに容易に識別させることができる電子機器を提供する。【解決手段】押圧検出部は加えられた押圧を検出し、押圧判定部は前記押圧検出部が検出した押圧に応じて画像を透過する度合いを示す透過率を定め、表示制御部を第１の画像を前記押圧判定部が定めた透過率で透過するように第２の画像を重畳して表示部に表示させる。これにより、複数の画像に表示されている内容をユーザに容易に識別させることができる。【選択図】図２
2015046062.tif 000002
【特許請求の範囲】
【請求項１】
加えられた押圧を検出する押圧検出部と、
前記押圧検出部が検出した押圧に応じて画像を透過する度合いを示す透過率を定める押圧判定部と、
第１の画像を前記押圧判定部が定めた透過率で透過するように第２の画像を重畳して表示部に表示させる表示制御部と、
を備えることを特徴とする電子機器。
【請求項２】
前記表示制御部は、操作対象の画像を前記第１の画像と定めることを特徴とする請求項１に記載の電子機器。
【請求項３】
前記表示制御部は、前記操作対象の画像の階層よりも上位の階層の画像をさらに前記第１の画像と定めることを特徴とする請求項２に記載の電子機器。
【請求項４】
前記押圧判定部が定めた透過率が所定の透過率よりも高いとき、前記第２の画像について操作入力に応じた処理を行う操作処理部を備えることを特徴とする請求項１から３のいずれかに記載の電子機器。
【請求項５】
前記押圧判定部は、前記押圧検出部が検出した押圧が大きいほど、高くなるように前記透過率を定めることを特徴とする請求項１から４のいずれかに記載の電子機器。
【発明の詳細な説明】
【技術分野】
【０００１】
本発明は、電子機器に関する。
【背景技術】
【０００２】
従来から、マルチウィンドウ機能のように複数の画像を表示することができる電子機器、例えば、多機能携帯電話機（いわゆるスマートフォンを含む）、タブレット端末装置、電子書籍閲覧装置、パーソナルコンピュータ、等がある。
電子機器が複数の画像を表示すると、１つの画像と他の画像の一部又は全部が重なることがあり、その重なった重複領域において１つの画像の表示を優先し、他の画像を表示しないことがある。また、重複領域を半透明に表示する電子機器が提案されている。例えば、特許文献１に記載のタブレット端末は、アプリケーション画面の入力欄が選択された場合、キー入力画面であるスケルトンキーボードの表示処理を実行し、キーが選択された場合、入力内容の表示処理を実行する。このタブレット端末は、入力が完了した場合、スケルトンキーボードを閉じる。
【先行技術文献】
【特許文献】
【０００３】
【特許文献１】特開２０１３−１２６１４０号公報
【発明の概要】
【発明が解決しようとする課題】
【０００４】
しかしながら、電子機器が１つの画像を優先して表示させる場合、他の画像のうち重複領域に所望の情報が含まれていることがある。その情報を見るために、ユーザは、優先して表示させる画像を、その情報が含まれている画像に切り替える、優先して表示させる１つの画像を表示するウィンドウを閉じる、等の操作が要求されることがある。ユーザは、操作の度に思考が中断するので作業の効率が低下することがある。
また、半透明に他の画像を表示させる場合、画像間でそれぞれの画像が示している内容が重なり合うために、配色、模様、配列、等によっては、どちらの内容も識別が困難になることがある。
本発明は上記の点に鑑みてなされたものであり、本発明の目的は、複数の画像に表示されている内容をユーザに容易に識別させることができる電子機器を提供することにある。
【課題を解決するための手段】
【０００５】
本発明は上記の課題を解決するためになされたものであり、本発明の一態様は、加えられた押圧を検出する押圧検出部と、前記押圧検出部が検出した押圧に応じて画像を透過する度合いを示す透過率を定める押圧判定部と、第１の画像を前記押圧判定部が定めた透過率で透過するように第２の画像を重畳して表示部に表示させる表示制御部と、を備えることを特徴とする電子機器である。
【発明の効果】
【０００６】
本発明によれば、複数の画像に表示されている内容をユーザに容易に識別させることができる。
【図面の簡単な説明】
【０００７】
【図１】本発明の第１の実施形態に係る電子機器の表面図である。
【図２】本実施形態に係る電子機器の構成を示す概略ブロック図である。
【図３】本実施形態に係る押圧判定部が行う透過率設定処理を示すフローチャートである。
【図４】本実施形態に係る表示制御部が行う表示制御処理を示すフローチャートである。
【図５】画像のレイヤの一例を示す図である。
【図６】押圧センサの他の配置例（１）を示す表面図である。
【図７】押圧センサの他の配置例（２）を示す表面図である。
【図８】押圧センサの他の配置例（３）を示す表面図である。
【図９】押圧センサの他の配置例（４）を示す表面図である。
【図１０】押圧センサの他の配置例（５）を示す表面図である。
【図１１】押圧センサの他の配置例（６）を示す表面図である。
【図１２】押圧センサの他の配置例（７）を示す裏面図である。
【図１３】画像の表示例（１）を示す図である。
【図１４】画像の表示例（２）を示す図である。
【図１５】画像のレイヤの他の例を示す図である。
【図１６】画像のレイヤのさらに他の例を示す図である。
【図１７】画像の表示例（３）を示す図である。
【図１８】画像の表示例（４）を示す図である。
【発明を実施するための形態】
【０００８】
（第１の実施形態）
以下、図面を参照しながら本発明の第１の実施形態について説明する。
図１は、本実施形態に係る電子機器１の表面図である。
図１において、２次元直交座標系のＸ方向の矢印は電子機器１の幅の方向を示し、Ｙ方向は電子機器１の高さの方向を示す。つまり、Ｘ方向、Ｙ方向は、それぞれ図面の右、下の各方向である。以下の説明では、Ｘ方向、Ｙ方向を、単に右、下、と呼ぶことがある。また、それらの方向のそれぞれの逆方向を、左、上と呼ぶことがある。また、左右を区別しない場合には、横と呼び、上下を区別しない場合には縦と呼ぶことがある。
【０００９】
電子機器１は、２個の押圧センサ１０１−１、１０１−２、タッチパネル１０２及び筐体１０５を含んで構成される。押圧センサの数は、２個には限られず、１個でもよいし、２個よりも多くてもよい。以下の説明では、１個の押圧センサを押圧センサ１０１と呼び、また、複数の押圧センサを押圧センサ１０１と総称することがある。電子機器１は、例えば、多機能携帯電話機（いわゆるスマートフォンを含む）、タブレット端末装置、電子書籍閲覧装置、等である。電子機器１は、例えば、インターネットに接続してウェブサーバから受信したコンテンツの画像を表示する機能を有してもよい。また、電子機器１は、公衆無線通信網（ＰＬＭＮ：Ｐｕｂｌｉｃ  Ｌａｎｄ  Ｍｏｂｉｌｅ  Ｎｅｔｗｏｒｋ）を介して、通信相手の相手側装置と接続を確立し、相手側装置との間で、音声信号、画像信号又はその両者を送信及び受信する機能を有してもよい。
【００１０】
電子機器１は、薄型のほぼ直方体の形状を有する。電子機器１の大きさは、ユーザが携帯可能であれば、いかなる大きさであってもよい。一例として、電子機器１は、概ね人間の片手で把持できる程度の大きさを有する。その場合、電子機器１は、例えば、幅は５５〜８５ｍｍ、高さは１００〜１６０ｍｍ、厚さは５ｍｍ〜２０ｍｍの範囲のいずれかの寸法を有する。
図１に示す電子機器１は、一辺の長さ（高さ）が他の一辺の長さ（幅）よりも大きい縦長の長方形の形状を有するが、これに限られない。電子機器１は、幅が高さよりも広い横長の長方形の形状を有していてもよい。
【００１１】
押圧センサ１０１−１、１０１−２は、それぞれ表面に加えられた押圧に応じて、その表面及び裏面との間で生じた電圧を生じる素子である。押圧センサ１０１−１、１０１−２は、圧電材料からなる圧電素子である。押圧センサ１０１−１、１０１−２は、それぞれ１辺の長さが他の１辺よりも長い、細長い平板状の形状を有する。押圧センサ１０１−１、１０１−２は、電子機器１の左側表面、右側表面において、それぞれの長手方向がＹ方向に平行に配置されている。左側表面、右側表面とは、電子機器１の表面のうちタッチパネル１０２の左側、右側の領域である。押圧センサ１０１−１、１０１−２は、押圧に応じて発生した電圧を押圧値として有する押圧信号を、それぞれ制御部１１０（後述）に出力する。ここで、押圧センサ１０１−１、１０１−２に加えられた押圧が高くなるほど押圧値が大きくなる。
【００１２】
タッチパネル１０２は、電子機器１の表面の大部分を覆い、タッチセンサ１０３と表示部１０４とを含んで構成される（図２参照）。タッチセンサ１０３は、操作物（例えば、ユーザの指）が接触した位置を検知し、検知した位置を示す位置情報を生成し、生成した位置情報を制御部１１０（後述）に出力する。タッチセンサ１０３は、例えば、静電容量センサを含んで構成される。表示部１０４は、制御部１１０（後述）から入力された画像信号に応じた画像を表示する。表示部１０４は、例えば、液晶表示パネル、有機ＥＬ（ｅｌｅｃｔｒｏｌｕｍｉｎｅｓｃｅｎｃｅ）表示パネルである。表示部１０４が画像を表示する領域と、タッチセンサ１０３が位置を検出する領域の大部分は重畳している。
筐体１０５は、電子機器１の後述する各構成を内部に収容し、そして、押圧センサ１０１及びタッチパネル１０２の位置を固定する。
【００１３】
（電子機器の構成）
次に、本実施形態に係る電子機器１の構成について説明する。
図２は、本実施形態に係る電子機器１の構成を示す概略ブロック図である。
電子機器１は、押圧センサ１０１、タッチパネル１０２、及び制御部１１０を含んで構成される。制御部１１０は、押圧検知部１１１、押圧判定部１１２、設定部１１３、記憶部１１４、位置情報処理部１１５、アプリケーション制御部１１６、及び表示制御部１１７を含んで構成される。
【００１４】
押圧検知部１１１は、押圧センサ１０１から入力された押圧信号（電気信号）を所定の時間間隔（例えば、２０ｍｓ）毎にサンプリングする。押圧検知部１１１は、サンプリングした押圧信号についてフィルタリング処理（例えば、平滑化）を行って押圧信号に混入したノイズを除去する。押圧検知部１１１は、処理を行った押圧信号を押圧判定部１１２に出力する。
【００１５】
押圧判定部１１２には、設定部１１３から判定データが入力される。判定データは、押圧値と透過率との関係を示すデータである。透過率は、ある画像（第１の画像）を他の画像（第２の画像）よりも優先して重畳して表示部１０４に表示させる際に、第１の画像が第２の画像を透過する度合いを示すパラメータである。透過率は、例えば、０から１までの実数値である。透過率の値が小さいほど、第１の画像が透過される度合いが低いことを示す。透過率が０である場合、第１の画像のみが表示され、第２の画像が表示されない。透過率が１である場合、第１の画像が完全に透明になり、第２の画像のみが表示される。１から透過率を減じたパラメータを不透明度と呼ぶことがある。
なお、記憶部１１４に判定データが記憶されている場合には、押圧判定部１１２は、記憶部１１４から判定データを読み出してもよい。押圧判定部１１２は、取得した判定データに基づいて押圧検知部１１１から入力された押圧信号が示す押圧値に応じた透過率を定める。押圧判定部１１２は、定めた透過率を示す透過率データを表示制御部１１７に出力する。
【００１６】
設定部１１３は、押圧値と透過率との関係を示す判定データを定め、定めた判定データを押圧判定部１１２に出力し、出力した判定データを記憶部１１４に記憶する。これにより、ユーザ毎の押圧力の差異に応じてユーザが期待する透過率で画像が透過して表示される。例えば、押圧力が比較的大きいユーザについて、過剰に透過率が変化することや、押圧力が比較的小さいユーザについて、透過率の変化が少ない等の状況を回避又は緩和する。ひいては、ユーザのストレスを緩和して快適な操作を実現することができる。
【００１７】
設定部１１３は、例えば、押圧検知部１１１から入力された押圧信号が示す押圧値毎に、位置情報処理部１１５から入力された位置情報に応じた透過率を対応づけて判定データを生成する。その場合、設定部１１３は、ユーザに押下した位置に対応する透過率を設定することを促す透過率設定画像を表示部１０４に表示させてもよい。これにより、押圧判定部１１２が透過率を定める処理を簡略化することができる。
また、設定部１１３は、押圧信号が示す押圧値と設定された透過率との関係を示す係数を算出し、算出した係数を示す判定データを生成してもよい。ここで、設定部１１３は、押圧値を独立変数、透過率を従属変数として所定の回帰式（例えば、１次関数、シグモイド関数）に基づく回帰分析を行って、その回帰式の係数（例えば、回帰式が１次関数の場合、傾き、切片）を算出する。これにより、記憶部１１４が記憶すべき判定データの情報量を低減することができる。
【００１８】
設定部１１３は、押圧値が大きくなるほど高くなるように透過率を定めてもよい。押圧を強くするほど透過の度合いを高くすることができるため、ユーザは、透過した画像への視認の容易さを容易に変更することができる。
ここで、設定部１１３は、押圧値の連続的な変化に対して透過率を離散的に定めてもよいし、連続的に定めてもよい。
記憶部１１４には、設定部１１３が生成した判定データが記憶される。記憶部１１４には、予め判定データが記憶されていてもよい。
【００１９】
位置情報処理部１１５は、タッチセンサ１０３から入力された位置情報（電気信号）を予め定めた時間間隔（例えば、２０ｍｓ）毎にサンプリングする。位置情報処理部１１５は、サンプリングした位置情報についてフィルタリング処理（例えば、平滑化）を行って位置情報に混入したノイズを除去する。位置情報処理部１１５は、フィルタリング処理を行った位置情報をアプリケーション制御部１１６に出力する。
【００２０】
アプリケーション制御部１１６は、電子機器１にインストールされているアプリケーションプログラム（以下、単にアプリケーションと呼ぶ）の実行を制御する。アプリケーションは、電子機器１の機能を発揮する処理を実行するためのプログラムである。アプリケーションには、ユーザが指示した位置の軌跡を示す画像を生成し表示させる描画プログラム、インターネットを介して受信したデータを画像として表示させるブラウザ、受け付けた操作入力に応じて文字情報の入力を行うインプットメソッド（ＩＭ：Ｉｎｐｕｔ  Ｍｅｔｈｏｄ、入力システム）、等がある。インプットメソッドは、インプットメソッドエディタ（ＩＭＥ：Ｉｎｐｕｔ  Ｍｅｔｈｏｄ  Ｅｄｉｔｏｒ）とも呼ばれる。アプリケーション制御部１１６は、これらのアプリケーションを実行して表示部１０４に表示させるための画像を示す画像信号を生成する。
【００２１】
アプリケーション制御部１１６は、位置情報処理部１１５から入力された位置情報に基づいてアプリケーションの起動、実行の終了の他、アプリケーションを実行して取得した画像のレイヤ（階層）を制御する。アプリケーション制御部１１６は、例えば、新たに取得した画像のレイヤを、他の画像のレイヤよりも優先されるよう（つまり、最上位）に設定する。つまり、レイヤは、複数の画像のうち当該画像を表示させる際の優先度を示す指標である。同一のアプリケーションにより取得された画像が複数個ある場合には、画像間で異なるレイヤが設定されてもよいし、複数個の画像について同一のレイヤが設定されてもよい。
【００２２】
また、アプリケーション制御部１１６は、所定の種類の画像については取得された時刻にかかわらず、その他の種類の画像のレイヤよりも優先されるように設定してもよい。所定の種類の画像は、例えば、ポップアップウィンドウ、緊急情報、等である。このような画像を優先レイヤ画像と呼ぶことがある。優先レイヤ画像同士では、その種類に応じてレイヤの優劣が定められてもよいし、新たに取得された優先レイヤ画像ほど優先されるようにレイヤが設定されてもよい。
アプリケーション制御部１１６は、アプリケーション毎の画像のレイヤを示すレイヤ情報を生成する。レイヤ情報が示す画像のレイヤは複数になりうる。
アプリケーション制御部１１６は、アプリケーションを実行して生成した画像信号と、生成したレイヤ情報とを表示制御部１１７に出力する。
【００２３】
表示制御部１１７は、アプリケーション制御部１１６から入力された画像信号に基づいて表示用の画像信号（表示用画像信号）を生成する。アプリケーション毎の画像信号が複数ある場合には、表示制御部１１７は、複数の画像信号がそれぞれ示す画像をアプリケーション制御部１１６から入力されたレイヤ情報に基づいて上位のレイヤほど優先されるように重畳する。
ここで、表示制御部１１７は、（ａ）例えば、表示領域が重複している複数の画像について、重複している領域（重複領域）内の画素の画素値Ｐを、式（１）を用いて算出する。
【００２４】
Ｐ＝α・Ｐｆ＋（１−α）・Ｐｂ  …  （１）
【００２５】
式（１）において、Ｐｆ、Ｐｂは、それぞれ重複領域における最上位のレイヤの画像の画素値、それ以外のレイヤの画像の画素値を示す。α、（１−α）は、それぞれ不透明度、透過率を示す。つまり、表示制御部１１７は、制御対象レイヤの画像として、最上位のレイヤの画像を設定された透過率１−αで透過するように、それ以外のレイヤの画像を重畳して表示用画像信号を生成する。これにより、それ以外のレイヤの画像が最上位のレイヤの画像を透過するため、ユーザはタッチセンサ１０３に押圧を加えることによって、最上位のレイヤの画像の他、それ以外のレイヤの画像を視認することができる。
【００２６】
それ以外のレイヤの画像が、重複領域において複数個ある場合には、表示制御部１１７は、２番目に上位のレイヤの画像の画素値を画素値Ｐｂとして採用してもよいし、それ以外のレイヤに係る複数の画像の画素値の平均値を画素値Ｐｂとして採用してもよい。
表示制御部１１７は、重畳した画像を示す画像を表示用の画像信号として表示部１０４に出力する。なお、アプリケーション毎の画像信号が１個である場合には、表示制御部１１７は、アプリケーション制御部１１６から入力された画像信号を表示用画像信号として表示部１０４に出力する。
【００２７】
（透過率設定処理）
次に、本実施形態に係る押圧判定部１１２が行う透過率設定処理について説明する。
図３は、本実施形態に係る押圧判定部１１２が行う透過率設定処理を示すフローチャートである。
（ステップＳ１０１）押圧判定部１１２には、設定部１１３から押圧値と透過率との関係を示す判定データが入力される。その後、ステップＳ１０２に進む。
（ステップＳ１０２）押圧判定部１１２には、押圧検知部１１１から押圧値を示す押圧信号が入力される。その後、ステップＳ１０３に進む。
（ステップＳ１０３）押圧判定部１１２は、入力された判定データを参照して、押圧信号が示す押圧値に基づいて透過率を導出する。その後、ステップＳ１０４に進む。
（ステップＳ１０４）押圧判定部１１２は、導出した透過率を示す透過率データを表示制御部１１７に出力する。その後、ステップＳ１０２に進み、ステップＳ１０２からステップＳ１０４までの処理を繰り返す。
【００２８】
（表示制御処理）
次に、本実施形態に係る表示制御部１１７が行う表示制御処理について説明する。
図４は、本実施形態に係る表示制御部１１７が行う表示制御処理を示すフローチャートである。
（ステップＳ２０１）表示制御部１１７には、押圧判定部１１２から透過率を示す透過率データが入力される。その後、ステップＳ２０２に進む。
（ステップＳ２０２）表示制御部１１７には、アプリケーション毎の画像を示す画像信号と、それぞれの画像のレイヤを示すレイヤ情報がアプリケーション制御部１１６から入力される。その後、ステップＳ２０３に進む。
【００２９】
（ステップＳ２０３）表示制御部１１７は、入力されたレイヤ情報に基づいて画像の透過率を制御する対象となる制御対象レイヤ（例えば、最上位のレイヤ）を定める。その後、ステップＳ２０４に進む。
（ステップＳ２０４）表示制御部１１７は、定めた制御対象レイヤについて、入力された透過率データが示す透過率を設定する。その後、ステップＳ２０５に進む。
（ステップＳ２０５）表示制御部１１７は、例えば、式（１）を用いて、制御対象レイヤの画像について設定された透過率で透過するように、それ以外のレイヤの画像に重畳して表示用画像信号を生成する。その後、ステップＳ２０６に進む。
（ステップＳ２０６）表示制御部１１７は、生成した表示用画像信号を表示部１０４に出力する。その後、ステップＳ２０１に進み、ステップＳ２０１からステップＳ２０６までの処理を繰り返す。
【００３０】
（画像のレイヤの例）
次に、画像のレイヤの例について説明する。
図５は、画像のレイヤの一例を示す図である。
図５に示す例は、電子機器１上で実行しているアプリケーションが生成する３つの画像ａｐｐ１−１、ａｐｐ１−２、ａｐｐ１−３のレイヤを示す。この例では、画像ａｐｐ１−３のレイヤが最上位のレイヤであり、画像ａｐｐ１−２のレイヤが２番目に上位のレイヤであり、画像ａｐｐ１−１のレイヤが最下位のレイヤである。押圧センサ１０１に押圧が加えられていない場合、画像ａｐｐ１−１と画像ａｐｐ１−２のみが重複する重複領域では、画像ａｐｐ１−２が画像ａｐｐ１−１よりも優先して表示される。画像ａｐｐ１−２と画像ａｐｐ１−３が重複する重複領域では、画像ａｐｐ１−３が画像ａｐｐ１−２よりも優先して表示される。
【００３１】
例えば、ユーザが押圧センサ１０１に押圧を加えると、画像ａｐｐ１−３に０よりも大きい透過率が設定されることがある。そのとき、重複領域での少なくとも画像ａｐｐ１−２の内容が透過して表示される。押圧が解除されると表示された少なくとも画像ａｐｐ１−２の内容は、再び画像ａｐｐ１−３に隠される。
なお、画像ａｐｐ１−３に付された「★」印は、画像ａｐｐ１−３がフォーカスされていることを示す。フォーカスについては、後述する。
【００３２】
（押圧センサの配置例）
図１に示す例では、２個の押圧センサ１０１−１、１０１−２が電子機器１の左側表面、右側表面に配置されているが、これには限られない。押圧センサ１０１の個数、配置は図１に示す例とは異なってもよい。
図６−図１１は、それぞれ押圧センサ１０１の他の配置例を示す表面図である。
図６に示す例では、押圧センサ１０１−１、１０１−２は、それぞれ電子機器１の上側表面、下側表面に長手方向をともに横に向けて配置される。
図７に示す例では、押圧センサ１０１−１、１０１−２は、電子機器１の頂点（左上端）を挟む位置にそれぞれの長手方向が、その頂点を挟む辺（上辺、左辺）に平行する方向に向けて配置される。
図６、図７に示すように、押圧センサ１０１−１、１０１−２を図１とは異なる辺に近接して設置することで、把持される部位のユーザによる差異に対応することができる。
【００３３】
図８に示す例では、１個の押圧センサ１０１が電子機器１の上側表面に長手方向を横に向けて配置される。なお、押圧センサ１０１は、電子機器１の下側表面に配置されてもよい。
図９に示す例では、１個の押圧センサ１０１が電子機器１の左側表面に長手方向を縦に向けて配置される。なお、押圧センサ１０１は、電子機器１の右側表面に配置されてもよい。図８、図９に示すように、押圧センサ１０１の数を１個に限定することで、本実施形態を経済的に実現することができる。
【００３４】
図１０に示す例では、４個の押圧センサ１０１−１、１０１−２、１０１−３、１０１−４が、それぞれ電子機器１の上側表面、左側表面、下側表面、右側表面に配置されている。押圧センサ１０１−１、１０１−２、１０１−３、１０１−４の長手方向は、それぞれ、電子機器１の上辺、左辺、下辺、右辺に平行する方向に向けられている。
図１１に示す例では、４個の押圧センサ１０１−１、１０１−２、１０１−３、１０１−４が、それぞれ電子機器１の左上端、左下端、右下端、右上端に配置されている。押圧センサ１０１−１、１０１−２、１０１−３、１０１−４の長手方向は、それぞれ、電子機器１の左上端、左下端、右下端、右上端を通る対角線に垂直な方向に向けられている。
図１０、図１１に示すように、４個の押圧センサ１０１−１、１０１−２、１０１−３、１０１−４を電子機器１の各辺、各頂点に近接して設置することで、使用場面による把持される部位の変化に対応することができる。
【００３５】
押圧センサ１０１は、電子機器１の裏面に配置されてもよい。
図１２は、押圧センサ１０１の他の配置例を示す裏面図である。
この例では、押圧センサ１０１が、その長手方向が上辺に平行な方向に向けられて配置されている。その場合、電子機器１の表面における押圧センサ１０１の設置を省略することができる。ユーザは、タッチセンサ１０３への操作入力や、表示部１０４に表示される画像の視認が妨げられることなく、押圧を加えることで上述した透過率を変化させることができる。
【００３６】
なお、押圧センサ１０１の数が複数である場合には、押圧検知部１１１にはその複数の押圧センサ１０１のそれぞれから押圧信号が入力される。押圧検知部１１１は、入力された押圧信号がそれぞれ示す押圧値に基づいてそれらの代表値を導出し、導出した代表値についてフィルタリング処理を行ってもよい。代表値は、例えば、それらの最大値でもよいし、平均値でもよい。これにより、精度が高い押圧値、つまりユーザによる意思をより反映した押圧値を得ることができ、複数の押圧信号間の競合を避けることができる。
【００３７】
（画像の表示例）
次に、表示部１０４に表示される画像の表示例について説明する。
図１３は、画像の表示例（１）を示す図である。
図１３に示す例では、ブラウザによる広告の画像（広告画像）に、ＩＭによる文字入力用の画像（ソフトキーボード）が重畳して表示されている。広告画像は、表示部１０４の表示領域のほぼ全体を占め、ソフトキーボードは、表示領域の下半分を占める。
【００３８】
図１３（ａ）は、ユーザが押圧センサ１０１に押圧を加えていない状態で、ソフトキーボードが広告画像に重畳して表示されていることを示す。ソフトキーボードが広告画像よりも優先して表示されているため、広告画像の上半分（広告１）が表れているが広告画像の下半分（広告２）が表れていない。
図１３（ｂ）は、ユーザが電子機器１のフレームを握ったときに表示される画像を示す。このとき、押圧センサ１０１に押圧が加えられ、ソフトキーボードに対して０よりも大きく１よりも小さい透過率が設定されるのでソフトキーボードが半透明になり、その表示領域に隠れていた広告２が薄く表示される。
図１３（ｃ）は、ユーザが電子機器１のフレームをさらに強く握ったときに表示される画像を示す。このとき、押圧センサ１０１に加えられる押圧がさらに大きくなり、ソフトキーボードに対して透過率が０よりも１に近似するのでソフトキーボードがほぼ完全に透き通り、その表示領域に広告２が明瞭に表示される。
【００３９】
図１４は、画像の表示例（２）を示す図である。
図１４に示す例では、描画プログラムによって指示された位置の軌跡を示す描画面と、描画を支援するため描画ツールとが重畳して表示されている。描画面は、表示部１０４の表示領域の大部分を占める画像であって、生成された線画（この例では、手書きの文字列「あいう」、「えお」を２行にわたって表示）を含む画像である。描画ツールは、黒塗りの領域に白抜きで示された矢印記号と筆記具を図案化した図形をそれぞれ左側、右側に含む画像である。描画ツールは、描画面の上方のごく一部に重畳して表示されている。
【００４０】
図１４（ａ）は、ユーザが押圧センサ１０１に押圧を加えていない状態で、描画ツールが描画面の上方の一部に重畳して表示されていることを示す。描画ツールが描画面よりも優先して表示され、描画面のうち描画ツールの表示領域と重複する部分が隠されている。
図１４（ｂ）は、ユーザが電子機器１のフレームを強く握ったときに表示される画像を示す。このとき、描画ツールに対して０よりも１に近似した透過率が設定されるので描画ツールがほぼ透明になり、その表示領域に隠れていた部分が明瞭に表示される。
【００４１】
このように、本実施形態では、加えられた押圧を検出し、検出した押圧に応じて画像を透過する度合いを示す透過率を定め、定めた透過率で第１の画像を透過するように第２の画像を重畳して表示させる。
これにより、複数の画像のそれぞれに表示されている内容を簡易な操作で容易に識別させることができる。
【００４２】
（第２の実施形態）
次に、本発明の第２の実施形態について説明する。上述した実施形態と同一の構成については同一の符号を付して説明を援用する。
本実施形態に係る電子機器１ｂ（図示せず）は、上述した実施形態に係る電子機器１と同様なハードウェア構成を有する。但し、電子機器１ｂは、電子機器１（図２）においてアプリケーション制御部１１６、表示制御部１１７に代えて、アプリケーション制御部１１６ｂ、表示制御部１１７ｂを備える。
【００４３】
アプリケーション制御部１１６ｂは、アプリケーション制御部１１６（図２）と同様な処理を行う。アプリケーション制御部１１６ｂは、さらに位置情報処理部１１５から入力された位置情報が示す位置が表示領域に含まれる画像を注目画像として定める。つまり、注目画像は、ユーザが操作入力によって指示された画像である。操作入力による指示をフォーカスと呼び、操作入力によって指示されたことをフォーカスされたと呼ぶことがある。アプリケーション制御部１１６は、注目画像のレイヤ（つまり、画像がフォーカスされたか否か）を示す注目画像情報を上述したレイヤ情報に含め、レイヤ情報を表示制御部１１７ｂに出力する。
【００４４】
表示制御部１１７ｂは、表示制御部１１７（図２）と同様な処理を行う。但し、表示制御部１１７ｂは、重複領域内の画素の画素値Ｐを、式（１）に代えて式（２）を用いて算出する。
【００４５】
Ｐ＝α・Ｐｆ’＋（１−α）・Ｐｂ’  …  （２）
【００４６】
式（２）において、Ｐｆ’、Ｐｂ’は、それぞれ重複領域における注目画像の画素値、それ以外のレイヤの画像の画素値を示す。つまり、表示制御部１１７ｂは、制御対象レイヤの画像として、注目画像を設定された透過率１−αで透過するように、それ以外のレイヤの画像に重畳して表示用画像信号を生成する。これにより、それ以外のレイヤの画像が注目画像を透過するため、ユーザはタッチセンサ１０３に押圧を加えることによって、注目画像の他、注目画像以外のレイヤの画像を視認することができる。
それ以外のレイヤの画像が、重複領域において複数個ある場合には、表示制御部１１７は、最上位のレイヤの画像の画素値を画素値Ｐｂ’として採用してもよいし、それ以外のレイヤに係る複数の画像の画素値の平均値を画素値Ｐｂ’として採用してもよい。
【００４７】
図１５は、画像のレイヤの他の例を示す図である。
図１５に示す例は、電子機器１上で実行しているアプリケーションが生成する４つの画像ａｐｐ１−１、ａｐｐ１−２、ａｐｐ１−３、ａｐｐ１−４のレイヤを示す。この例では、画像ａｐｐ１−４のレイヤが最上位のレイヤであり、画像ａｐｐ１−４、画像ａｐｐ１−３、ａｐｐ１−２、ａｐｐ１−１の順で優先される。画像ａｐｐ１−４の表示領域は、画像ａｐｐ１−１の表示領域に含まれるが、画像ａｐｐ１−２、ａｐｐ１−３それぞれの表示領域外である。画像ａｐｐ１−４は、例えば、時刻表示用の画像である。ここで、画像ａｐｐ１−３に付されている★印は、画像ａｐｐ１−３が注目画像、つまりフォーカスされている画像であることを示す。
【００４８】
ここで、ユーザが画像ａｐｐ１−２のうち注目画像ａｐｐ１−３との重複領域の内容を視認したいと考える場合を考察する。この場合、第１の実施形態によれば、画像ａｐｐ１−１のうち画像ａｐｐ１−４との重複領域が透過する。そのため、ユーザが所望する内容を視認することができない。
【００４９】
これに対し、本実施形態では、押圧センサ１０１に押圧が加えられることで、注目画像ａｐｐ１−３を透過するように、画像ａｐｐ１−２のうち注目画像ａｐｐ１−３との重複領域が表示される。そのため、ユーザは、重複領域に表示された内容を簡便な操作を行って視認することができる。
このように、本実施形態では、操作対象の注目画像を透過する画像と定めることを特徴とする。そのため、注目画像に重畳されていた他の画像が表示され、その内容をユーザが簡便な操作によって押圧を加えることで視認することができる。
【００５０】
（第３の実施形態）
次に、本発明の第３の実施形態について説明する。上述した実施形態と同一の構成については同一の符号を付して説明を援用する。
本実施形態に係る電子機器１ｃ（図示せず）は、上述した実施形態に係る電子機器１、１ｂと同様なハードウェア構成を有する。但し、電子機器１ｃは、電子機器１ｂにおいて表示制御部１１７ｂに代えて、表示制御部１１７ｃを備える。
【００５１】
本実施形態でも、アプリケーション制御部１１６ｂは、アプリケーション制御部１１６（図２）と同様な処理を行う。アプリケーション制御部１１６ｂは、さらに位置情報処理部１１５から入力された位置情報が示す位置が表示領域に含まれる画像を注目画像として定める。アプリケーション制御部１１６は、注目画像のレイヤを示す注目画像情報を、上述したレイヤ情報に含め、レイヤ情報を表示制御部１１７ｂに出力する。
【００５２】
表示制御部１１７ｃは、表示制御部１１７ｂと同様な処理を行う。
但し、表示制御部１１７ｃは、重複領域内の画素の画素値Ｐを、式（２）に代えて式（３）を用いて算出する。
【００５３】
Ｐ＝α・Ｐｆ’＋（１−α）・Ｐｂ’’  …  （３）
【００５４】
式（３）において、Ｐｂ’’は、重複領域における注目画像よりも上位のレイヤの画像の画素値Ｐｂ’’を示す。つまり、表示制御部１１７は、制御対象レイヤの画像として、注目画像を設定された透過率１−αで透過するように、注目画像よりも上位のレイヤの画像に重畳して表示用画像信号を生成する。これにより、注目画像よりも上位のレイヤの画像が注目画像を透過するため、ユーザはタッチセンサ１０３に押圧を加えることによって、注目画像のレイヤの画像を視認することができる。
注目画像よりも上位のレイヤの画像が、重複領域において複数個ある場合には、表示制御部１１７は、最上位のレイヤの画像の画素値を画素値Ｐｂ’’として採用してもよいし、注目画像よりも上位のレイヤに係る複数の画像の画素値の平均値を画素値Ｐｂ’’として採用してもよい。
【００５５】
図１６は、画像のレイヤのさらに他の例を示す図である。
図１６に示す例は、電子機器１上で実行しているアプリケーションが生成する４つの画像ａｐｐ１−１、ａｐｐ１−２、ａｐｐ１−３、ａｐｐ１−４のレイヤを示す。この例では、画像ａｐｐ１−４のレイヤが最上位のレイヤであり、画像ａｐｐ１−４、画像ａｐｐ１−３、ａｐｐ１−２、ａｐｐ１−１の順で優先される。画像ａｐｐ１−４は、例えば、広告画像である。画像ａｐｐ１−３、ａｐｐ１−４の表示領域は、それぞれ画像ａｐｐ１−２の表示領域に含まれる。画像ａｐｐ１−３の表示領域と、ａｐｐ１−４の表示領域との間で重複する重複領域はない。また、画像ａｐｐ１−３が注目画像である。
【００５６】
ここで、ユーザが画像ａｐｐ１−２のうち注目画像ａｐｐ１−３、ａｐｐ１−４との重複領域の内容をいずれも視認したいと考える場合を考察する。
この場合、第１の実施形態によれば、画像ａｐｐ１−２のうち画像ａｐｐ１−４との重複領域のみが透過する。第２の実施形態によれば、画像ａｐｐ１−２のうち画像ａｐｐ１−３との重複領域のみが透過する。そのため、ユーザが所望する内容を視認することができない。
これに対し、本実施形態では、押圧センサ１０１に押圧が加えられることで、注目画像ａｐｐ１−３とそれよりも上位のレイヤの画像ａｐｐ１−４を透過するように、画像ａｐｐ１−２のうち注目画像ａｐｐ１−３、画像ａｐｐ１−４との重複領域が表示される。そのため、ユーザは、所望する内容を視認することができる。
【００５７】
（画像の表示例）
次に、表示部１０４に表示される画像の表示例について説明する。
図１７は、画像の表示例（３）を示す図である。
図１７では、複数のリスト項目が縦に配列されたリスト画像、ポップアップウィンドウ、及び広告画像（広告３）を表示する場合を例にとる。リスト画像の表示領域は、表示部１０４の表示領域のほぼ全体を占める。これに対し、ポップアップウィンドウの表示領域は、リスト画像に含まれるリスト項目１、２の一部をまたぐ領域に限られる。広告３の表示領域は、リスト画像に含まれるリスト項目３の一部の領域に含まれる。この例では、広告３のレイヤが最上位のレイヤであり、広告３、ポップアップウィンドウ、リスト画像の順で優先される。また、注目画像は、ポップアップウィンドウである。
【００５８】
図１７（ａ）は、ユーザが押圧センサ１０１に押圧を加えていない状態で、リスト画像に、広告３とポップアップウィンドウとが重畳して表示されていることを示す。広告３やポップアップウィンドウがリスト画像よりも優先して表示されるため、リスト画像においてリスト項目１とリスト項目２の一部をまたぐ領域や、リスト項目３の一部の領域が表れていない。
図１７（ｂ）は、ユーザが電子機器１のフレームを握ったときに表示される画像を示す。このとき、押圧センサ１０１に押圧が加えられ、注目画像であるポップアップウィンドウと、それよりも上位のレイヤの広告３に対して０よりも大きく１よりも小さい透過率が設定されるのでポップアップウィンドウや広告３が半透明になる。これにより、リスト画像のうち、それらの表示領域に隠れていた部分が表示される。
【００５９】
このように、本実施形態では、検出された押圧に応じて注目画像とそれよりも上位のレイヤの画像を透過する画像と定める。そのため、注目画像やそれよりも上位のレイヤの画像に重畳していた他の画像が表示され、その内容をユーザが簡便な操作によって押圧を加えることで視認することができる。
【００６０】
（第４の実施形態）
次に、本発明の第４の実施形態について説明する。上述した実施形態と同一の構成については同一の符号を付して説明を援用する。
本実施形態に係る電子機器１ｄ（図示せず）は、上述した実施形態に係る電子機器１、１ｂ、１ｃと同様なハードウェア構成を有する。但し、電子機器１ｄは、電子機器１ｃにおいてアプリケーション制御部１１６ｂに代えて、アプリケーション制御部（操作処理部）１１６ｄを備える。
【００６１】
アプリケーション制御部１１６ｄは、アプリケーション制御部１１６ｂと同様な処理を行う。アプリケーション制御部１１６ｄは、さらに、生成したレイヤ情報を参照して、注目画像を示す画像信号の他、注目画像よりも上位のレイヤの画像信号を処理対象の画像（操作対象画像）として位置情報処理部１１５から入力された位置情報が示す位置に応じた処理を行う。つまり、アプリケーション制御部１１６ｄは、ユーザの操作によって指示された位置に基づいた処理を操作対象画像とは別個の画像について実行する。実行される処理は、例えば、スクロール、その画像の選択やこれに伴う表示態様（輝度、色相、等）の変更、その画像を介した位置情報の入力、等である。
【００６２】
アプリケーション制御部１１６ｄは、押圧判定部１１２から入力された透過率データが示す透過率が、予め定めた透過率（例えば、０．８）を超えたときに、ユーザの操作によって指示された位置に基づいた処理を行う。これにより、操作対象画像とは別個の画像に係るアプリケーションについて操作入力に応じた処理が行われる。そのため、画像が視認できるようになった別個の画像について操作入力に応じた処理が行われるというユーザの期待を満たすことができる。
なお、その場合には、アプリケーション制御部１１６ｄは、操作対象画像について、ユーザの操作によって指示された位置に基づいた処理を停止してもよい。これにより、視認できない操作対象画像についてユーザが想定していない処理が行われることを回避することができる。
【００６３】
次に、表示部１０４に表示される画像の表示例について説明する。
図１８は、画像の表示例（４）を示す図である。
図１８は、ユーザが自己の指を、図１７（ｂ）に示すリスト画像のうちポップアップウィンドウの表示領域を透過して表示された部分を接触しながら下方に移動させている状況を示す。これに応じて、アプリケーション制御部１１６ｄは、上述した別個の画像に相当するリスト画像についてスクロール処理、即ち入力位置情報で指示された位置に応じて表示領域を移動させる処理を行う。
【００６４】
このように、本実施形態では、押圧判定部（例えば、押圧判定部１１２）が定めた透過率が所定の透過率よりも高いとき、注目画像もしくは注目画像よりも上位のレイヤの画像とは別の画像について操作入力に応じた処理を行う。透過されることによって視認される画像について、受け付けた操作に応じた処理が行われるというユーザの期待を満たすことができるので、電子機器の使いやすさを向上させることができる。
【００６５】
なお、上述した実施形態は、次の態様でも実施することができる。
（１）加えられた押圧を検出する押圧検出部と、前記押圧検出部が検出した押圧に応じて画像を透過する度合いを示す透過率を定める押圧判定部と、第１の画像を前記押圧判定部が定めた透過率で透過するように第２の画像を重畳して表示部に表示させる表示制御部と、を備えることを特徴とする電子機器。
（２）（１）の電子機器であって、前記表示制御部は、操作対象の画像を前記第１の画像と定めることを特徴とする。
（３）（２）の電子機器であって、前記表示制御部は、前記操作対象の画像の階層よりも上位の階層の画像をさらに前記第１の画像と定めることを特徴とする。  
（４）（１）から（３）の電子機器であって、前記押圧判定部が定めた透過率が所定の透過率よりも高いとき、前記第２の画像について操作入力に応じた処理を行う操作処理部を備えることを特徴とする。
（５）（１）から（４）のいずれかの電子機器であって、前記押圧判定部は、前記押圧検出部が検出した押圧が大きいほど、高くなるように前記透過率を定めることを特徴とする。
【００６６】
（６）電子機器における制御方法において、加えられた押圧を検出する押圧検出部が検出した押圧に応じて画像を透過する度合いを示す透過率を定める押圧判定過程と、第１の画像を前記押圧判定過程で定めた透過率で透過するように第２の画像を重畳して表示部に表示させる表示制御過程と、を有する制御方法。
（７）電子機器のコンピュータに、加えられた押圧を検出する押圧検出部が検出した押圧に応じて画像を透過する度合いを示す透過率を定める押圧判定手順、第１の画像を前記押圧判定過程で定めた透過率で透過するように第２の画像を重畳して表示部に表示させる表示制御手順と、を実行させるための制御プログラム。
【００６７】
なお、上述した実施形態における電子機器１、１ｂ、１ｃ、又は１ｄの一部、例えば、押圧検知部１１１、押圧判定部１１２、設定部１１３、位置情報処理部１１５、アプリケーション制御部１１６、１１６ｂ、１１６ｄ、及び表示制御部１１７、１１７ｂ、１１７ｃをコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、電子機器１、１ｂ、１ｃ、又は、１ｄのいずれかに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
また、上述した実施形態における電子機器１、１ｂ、１ｃ、又は１ｄの一部、または全部を、ＬＳＩ（Ｌａｒｇｅ  Ｓｃａｌｅ  Ｉｎｔｅｇｒａｔｉｏｎ）等の集積回路として実現してもよい。電子機器１、１ｂ、１ｃ、又は１ｄの各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００６８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００６９】
１、１ｂ、１ｃ、１ｄ…電子機器、
１０１…押圧センサ、１０２…タッチパネル、１０３…タッチセンサ、１０４…表示部、
１１０…制御部、１１１…押圧検知部、１１２…押圧判定部、１１３…設定部、
１１４…記憶部、１１５…位置情報処理部、
１１６、１１６ｂ、１１６ｄ…アプリケーション制御部、
１１７、１１７ｂ、１１７ｃ…表示制御部
【図１】
2015046062.tif 000003
【図２】
2015046062.tif 000004
【図３】
2015046062.tif 000005
【図４】
2015046062.tif 000006
【図５】
2015046062.tif 000007
【図６】
2015046062.tif 000008
【図７】
2015046062.tif 000009
【図８】
2015046062.tif 000010
【図９】
2015046062.tif 000011
【図１０】
2015046062.tif 000012
【図１１】
2015046062.tif 000013
【図１２】
2015046062.tif 000014
【図１５】
2015046062.tif 000015
【図１６】
2015046062.tif 000016
【図１３】
2015046062.tif 000017
【図１４】
2015046062.tif 000018
【図１７】
2015046062.tif 000019
【図１８】
2015046062.tif 000020